(57)【要約】【課題】  耐震強度を維持したまま予め設定した部位にひび割れを誘発させることのできるひび割れ誘発構造及びこれを具備した建築構造物を提供すること。【解決手段】  ひび割れ誘発構造１は、ひび割れを誘発する目地２が形成された誘発部３を有したコンクリート壁４と、目地２の伸びるＸ方向に直交するＹ方向に伸びてコンクリート壁４内に埋設されていると共に外周面２０に複数の突部５ｂを有している複数本の異形鋼棒５と、複数本の異形鋼棒５を連結していると共にＸ方向に伸びてコンクリート壁４内に埋設されている複数本の異形鋼棒６と、異形鋼棒５の誘発部３における部位５ａとコンクリート壁４のコンクリートとの間に介在されるように当該部位５ａに装着されていると共にコンクリート壁４のコンクリートに滑り接触している滑り部材７とを具備している。【選択図】図１
2005207121.tif 000002
【特許請求の範囲】
【請求項１】
ひび割れを誘発する目地が形成された誘発部を有したコンクリート壁と、目地の伸びる方向に交差する方向に伸びてコンクリート壁内に埋設されていると共に外周面に複数の突部を有している鋼棒と、鋼棒の誘発部における部位とコンクリート壁のコンクリートとの間に介在されるように当該部位に装着されていると共にコンクリート壁のコンクリートに滑り接触している滑り部材とを具備しているひび割れ誘発構造。
【請求項２】
滑り部材は、断面略Ｃ状の本体と、本体の円周方向における両端部に規定されるスリットとを具備しており、本体は、スリットの拡幅を介して鋼棒に装着できる程度の可撓性を有している請求項１に記載のひび割れ誘発構造。
【請求項３】
滑り部材は、鋼棒を囲繞する管状体からなる請求項１に記載のひび割れ誘発構造。
【請求項４】
管状体は、少なくとも二つの半割体が組み合わされてなる請求項３に記載のひび割れ誘発構造。
【請求項５】
管状体は、鋼棒に巻き付けられたシート体からなる請求項３に記載のひび割れ誘発構造。
【請求項６】
滑り部材は、合成樹脂からなる請求項１から５のいずれか一項に記載のひび割れ誘発構造。
【請求項７】
滑り部材は、発泡材料からなる請求項１から６のいずれか一項に記載のひび割れ誘発構造。
【請求項８】
滑り部材は、塩化ビニルからなる請求項１から７のいずれか一項に記載のひび割れ誘発構造。
【請求項９】
滑り部材は、塩化ビニル、合成樹脂又は発泡材料からなる複数の層を具備している請求項１から４のいずれか一項に記載のひび割れ誘発構造。
【請求項１０】
互いに隣接している少なくとも二本の鋼棒を具備しており、滑り部材は、二本の鋼棒のうちの少なくとも一方に装着されている請求項１から９のいずれか一項に記載のひび割れ誘発構造。
【請求項１１】
二本の鋼棒は、コンクリート壁の厚さ方向又は目地の伸びている方向で互いに隣接している請求項１０に記載のひび割れ誘発構造。
【請求項１２】
鋼棒は、異形鋼棒からなる請求項１から１１のいずれか一項に記載のひび割れ誘発構造。
【請求項１３】
請求項１から１２のいずれか一項に記載のひび割れ誘発構造に用いるための滑り部材。
【請求項１４】
請求項１から１２のいずれか一項に記載のひび割れ誘発構造を具備した建築構造物。
【発明の詳細な説明】
【技術分野】
【０００１】
本発明は、乾燥、熱変化等によるコンクリートの収縮及び膨張、地震による振動等に基づくひび割れを予め設定した部位にのみ生じさせるためのひび割れ誘発構造及びこれを具備した建築構造物に関する。
【背景技術】
【０００２】
【特許文献１】特開平６−２５７２２９号公報
【０００３】
この種のひび割れ誘発構造としては、例えば、鉄筋コンクリート造外壁の屋外側表面にひび割れを誘発する誘発目地を有したひび割れ誘発構造が特許文献１において提案されている。斯かるひび割れ誘発構造は、耐震強度を重視しない場合には、鋼棒の誘発目地の近傍に位置する部位を切断して構成される一方、耐震強度を重視する場合には、当該部位を切断しないで構成される。
【発明の開示】
【発明が解決しようとする課題】
【０００４】
ところで、斯かるひび割れ誘発構造では、鋼棒の誘発目地の近傍の部位が切断されている場合には、耐震強度が著しく低下してしまう一方、当該部位が切断されていない場合には、鋼棒とコンクリートとの滑り抵抗が大きいために、ひび割れを予め設定した部位で誘発させ難く、耐震強度を維持したまま予め設定した部位（誘発部）にひび割れを誘発させることが困難である。
【０００５】
本発明は、前記諸点に鑑みてなされたものであり、その目的とするところは、耐震強度を維持したまま予め設定した部位にひび割れを誘発させることのできるひび割れ誘発構造及びこれを具備した建築構造物を提供することにある。
【課題を解決するための手段】
【０００６】
本発明の第一の態様のひび割れ誘発構造は、ひび割れを誘発する目地が形成された誘発部を有したコンクリート壁と、目地の伸びる方向に交差する方向に伸びてコンクリート壁内に埋設されていると共に外周面に複数の突部を有している鋼棒と、鋼棒の誘発部における部位とコンクリート壁のコンクリートとの間に介在されるように当該部位に装着されていると共にコンクリート壁のコンクリートに滑り接触している滑り部材とを具備している。
【０００７】
第一の態様のひび割れ誘発構造によれば、上述の構成を具備しているために、滑り部材を設けることによりひび割れを誘発させるために予め設定した部位（誘発部）で鋼棒の突部がコンクリート壁のコンクリートに噛み込まれることをなくすことができ、しかも、滑り部材に対してコンクリート壁のコンクリートが滑ることができる結果、ひび割れを目地に沿って誘発させ得ると共に誘発部で鋼棒を切断する必要をなくし得、而して、耐震強度を維持したまま誘発部でひび割れを誘発させることができる。
【０００８】
本発明の第二の態様のひび割れ誘発構造では、第一の態様のひび割れ誘発構造において、滑り部材は、断面略Ｃ状の本体と、本体の円周方向における両端部に規定されるスリットとを具備しており、本体は、スリットの拡幅を介して鋼棒に装着できる程度の可撓性を有している。
【０００９】
本発明の第三の態様のひび割れ誘発構造では、第一の態様のひび割れ誘発構造において、滑り部材は、鋼棒を囲繞する管状体からなる。
【００１０】
本発明の第四の態様のひび割れ誘発構造では、第三の態様のひび割れ誘発構造において、管状体は、少なくとも二つの半割体が組み合わされてなる。
【００１１】
本発明の第五の態様のひび割れ誘発構造では、第三の態様のひび割れ誘発構造において、管状体は、鋼棒に巻き付けられたシート体からなる。
【００１２】
第二又は第四及び第五の態様のひび割れ誘発構造によれば、上述の構成を具備しているために、例えば、予め複数本の鋼棒を夫々互いに溶接等により連結した場合においても、当該鋼棒に滑り部材を簡単に装着することができる。
【００１３】
本発明の第六の態様のひび割れ誘発構造では、第一から第五のいずれかの態様のひび割れ誘発構造において、滑り部材は、合成樹脂からなる。
【００１４】
本発明の第七の態様のひび割れ誘発構造では、第一から第六のいずれかの態様のひび割れ誘発構造において、滑り部材は、発泡材料からなる。
【００１５】
本発明の第八の態様のひび割れ誘発構造では、第一から第七のいずれかの態様のひび割れ誘発構造において、滑り部材は、塩化ビニルからなる。
【００１６】
本発明の第九の態様のひび割れ誘発構造では、第一から第四のいずれかの態様のひび割れ誘発構造において、滑り部材は、塩化ビニル、合成樹脂又は発泡材料からなる複数の層を具備している。
【００１７】
本発明の第十の態様のひび割れ誘発構造は、第一から第九のいずれかの態様のひび割れ誘発構造において、互いに隣接している少なくとも二本の鋼棒を具備しており、滑り部材は、二本の鋼棒のうちの少なくとも一方に装着されている。
【００１８】
本発明の第十一の態様のひび割れ誘発構造では、第十の態様のひび割れ誘発構造において、二本の鋼棒は、コンクリート壁の厚さ方向又は目地の伸びている方向で互いに隣接している。
【００１９】
本発明の第十二の態様のひび割れ誘発構造では、第一から第十一のいずれかの態様のひび割れ誘発構造において、鋼棒は、異形鋼棒からなる。
【発明の効果】
【００２０】
本発明によれば、耐震強度を維持したまま予め設定した部位にひび割れを誘発させることのできるひび割れ誘発構造及びこれを具備した建築構造物を提供し得る。
【発明を実施するための最良の形態】
【００２１】
次に、本発明の実施の形態の例を、図に示す好ましい例に基づいて更に詳細に説明する。尚、本発明はこれら例に何等限定されないのである。
【実施例】
【００２２】
図１から図４において、本例のひび割れ誘発構造１は、ひび割れを誘発する目地（誘発目地）２が形成された誘発部３を有したコンクリート壁４と、目地２の伸びるＸ方向（本例では鉛直方向）に交差、本例では直交するＹ方向（本例では水平方向）に伸びてコンクリート壁４内に埋設されていると共に外周面２０に複数の突部５ｂを有している鋼棒、本例では複数本の異形鋼棒５と、複数本の異形鋼棒５を連結していると共にＸ方向に伸びてコンクリート壁４内に埋設されている鋼棒、本例では複数本の異形鋼棒６と、異形鋼棒５の誘発部３における部位５ａとコンクリート壁４のコンクリートとの間に介在されるように当該部位５ａに装着されていると共にコンクリート壁４のコンクリートに滑り接触している滑り部材７とを具備している。斯かるひび割れ誘発構造１は、家屋、ビル等の建築構造物に設けられる。
【００２３】
コンクリート壁４は、家屋、ビル等の建築構造物の屋内外を画成する壁として構成されている。
【００２４】
誘発部３には、本例では屋内側及び屋外側に配されている一対の目地２が形成されている。誘発部３は、目地のＹ方向における開口幅Ｂと等しい幅又は開口幅Ｂよりも大きな幅を有している。誘発部３は、建築構造物の設計上、ひび割れの誘発が必要とされるコンクリート壁４の一つ又は複数の部位に設けられる。例えば、パラペットとして構成されるコンクリート壁４には、日光等の影響による熱変化に基づくコンクリートの収縮及び膨張が生じやすく、また、地震等に基づく振動が比較的大きく生じ得るために、比較的多くの誘発部３が必要とされる。
【００２５】
複数の誘発部３に形成された目地２の夫々は、水平方向において３ｍ程度の間隔をもって夫々配されている。コンクリート壁４の厚さ方向Ｚにおける一対の目地２の深さの計は、コンクリート壁４の厚さの１／４程度から１／５程度である。尚、パラペットに設けられた複数の誘発部３に形成された目地２の夫々は、水平方向において１．５ｍ程度の間隔をもって夫々配されているのが好ましい。また、目地２には、止水処理が施されていてもよい。
【００２６】
異形鋼棒５は、１３ｍｍ程度の直径を有したＹ方向に伸びた円柱状体９を夫々具備しており、円柱状体９の外周面２０には、複数の突部５ｂがＹ方向に並んで一体的に設けられている。突部５ｂは、外周面２０から１ｍｍ程度突出している。異形鋼棒６は、異形鋼棒５と同様に、Ｘ方向に伸びた円柱状体９と、当該円柱状体９の外周面２０にＸ方向に並んで一体的に設けられた複数の突部５ｂとを夫々具備している。
【００２７】
複数本の異形鋼棒５は、Ｘ方向に並んで配されていると共に複数本の異形鋼棒６に溶接等により夫々互いに連結されている。異形鋼棒６は、Ｙ方向に並んで配されている。複数本の異形鋼棒５とこれらの異形鋼棒５を夫々連結している複数本の異形鋼棒６とは、夫々互いに協働して網状体１０を構成している。斯かる網状体１０は、本例では厚さ方向Ｚにおいて一対設けられている。一方の網状体１０を構成している異形鋼棒５と他方の網状体１０を構成している異形鋼棒５とは、厚さ方向Ｚで互いに隣接している。他方の網状体１０よりも屋外側に配されている一方の網状体１０を構成している複数本の異形鋼棒５であってＸ方向で夫々互いに隣接している二本の異形鋼棒５のうちの少なくとも一方の異形鋼棒５には、滑り部材７が装着されている。
【００２８】
滑り部材７は、特に図４の（ａ）に示すように、断面略Ｃ状の本体１１と、本体１１の円周方向Ａにおける両端部１２及び１３に規定されるスリット１４とを具備している。
【００２９】
本体１１は、特に図４の（ｂ）に示すように、複数の層１５、本例ではコンクリート壁４のコンクリートに滑り接触する外側の層１６と、層１６の内周面１７に固着されていると共に異形鋼棒５に装着される内側の層１８とを具備している。本体１１は、スリット１４の拡幅を介して異形鋼棒５に装着できる程度の可撓性を有している。尚、本体１１は、本例では５ｍｍ程度の肉厚を有しているが、５ｍｍ程度よりも薄い肉厚を有していてもよく、また、５ｍｍ程度よりも厚い肉厚を有していてもよい。また、本体１１は、異形鋼棒５に装着されている場合に断面略Ｃ状となっていればよく、従って、異形鋼棒５に装着される前においては、シート状となっていてもよいが、本例では装着前においても断面略Ｃ状の状態が維持されるように構成されている。
【００３０】
外側の層１６は、一部がスリット１４により切り欠かれた略円筒状の部材からなる。内側の層１８は、一部がスリット１４により切り欠かれた略円筒状の部材からなる。層１６は、塩化ビニル（合成樹脂の一種である塩化ビニル樹脂をも含む）からなっており、層１８は、層１６とは異質の合成樹脂からなっている。層１６とコンクリート壁４のコンクリートとの滑り抵抗は、層１８と異形鋼棒５との滑り抵抗よりも小さくなるのが好ましい。尚、層１６は、層１８よりも軟質であってもよく、また、層１８は、層１６よりも軟質であってもよく、更にまた、層１６と層１８とは同等の軟らかさを有していてもよい。
【００３１】
層１６の外周面は、コンクリート壁４のコンクリートに滑り接触する滑り面２１として構成されており、滑り面２１は、滑らかな略円筒状の面からなる。
【００３２】
層１８の内周面１９は、異形鋼棒５の部位５ａに装着された際に、突部５ｂに押圧されて当該突部５ｂに対して凹状に変形されるようになっている。滑り部材７は、突部５ｂにより凹状に変形された内周面１９の凹部２２で水平方向に関して突部５ｂに係止されることによって異形鋼棒５に装着されるようになっている。尚、内周面１９は、異形鋼棒５の外周面２０に接着剤等により接着されてもよい。
【００３３】
上述の滑り部材７は、本体１１が塩化ビニルや合成樹脂によって構成されているために、例えば止水処理が施されていない目地２を有した誘発部３でひび割れが生じた場合においても異形鋼棒５の部位５ａの腐食等の劣化防止に貢献し得る。
【００３４】
本例のひび割れ誘発構造１は、網状体１０を構成している異形鋼棒５の部位５ａに滑り部材７を装着し、装着後、コンクリート壁４を形成するためのコンクリートの打設により網状体１０及び滑り部材７が埋設されることによって完成される。
【００３５】
以上のひび割れ誘発構造１によれば、ひび割れを誘発する目地２が形成された誘発部３を有したコンクリート壁４と、Ｙ方向に伸びてコンクリート壁４内に埋設されていると共に外周面２０に複数の突部５ｂを有している異形鋼棒５と、異形鋼棒５の誘発部３における部位５ａとコンクリート壁４のコンクリートとの間に介在されるように当該部位５ａに装着されていると共にコンクリート壁４のコンクリートに滑り接触している滑り部材７とを具備しているために、滑り部材７を設けることによりひび割れを誘発させるために予め設定した誘発部３で異形鋼棒５の突部５ｂがコンクリート壁４のコンクリートに噛み込まれることをなくすことができ、しかも、滑り部材７に対してコンクリート壁４のコンクリートが滑ることができる結果、ひび割れを目地２に沿って誘発させ得ると共に誘発部３で異形鋼棒５を切断する必要をなくし得、而して、耐震強度を維持したまま誘発部３でひび割れを誘発させることができる。
【００３６】
ひび割れ誘発構造１によれば、滑り部材７が、断面略Ｃ状の本体１１と、本体１１の円周方向Ａにおける両端部１２及び１３に規定されるスリット１４とを具備しており、本体１１は、スリット１４の拡幅を介して異形鋼棒５に装着できる程度の可撓性を有しているために、例えば、予め複数本の異形鋼棒５を異形鋼棒６を介して連結した場合においても、当該異形鋼棒５に滑り部材７を簡単に装着することができる。
【００３７】
尚、ひび割れ誘発構造１は、滑り部材７に代えて、例えば、図５の（ａ）及び（ｂ）に示すような三つの層１５からなる本体を有している滑り部材３７を具備していてもよく、斯かる滑り部材３７では、外側の層３８及び内側の層３９が合成樹脂又は塩化ビニルからなると共に層３８及び３９間に介在される中間層４０が発泡スチロール、発泡プラスチック、発泡塩化ビニル樹脂、発泡ウレタン、発泡ゴム等の発泡材料からなっていてもよい。また、ひび割れ誘発構造１は、滑り部材７に代えて、塩化ビニル、合成樹脂又は発泡材料のみからなる本体を有している滑り部材（図示せず）を具備していてもよく、例えば滑り部材が発泡材料からなる層のみを有している場合には、滑り部材は、１０ｍｍ程度の肉厚を有していてもよい。更に、ひび割れ誘発構造１は、滑り部材７に代えて、例えば図６に示すように、異形鋼棒５の部位５ａを囲繞するように少なくとも二つの半割体４８及び４９が組み合わされてなる管状体４６を有した滑り部材４７を具備していてもよく、また、異形鋼棒５の部位５ａを囲繞するように当該異形鋼棒５の外周面２０に巻き付けられたシート体（図示せず）からなる管状体を有した滑り部材を具備していてもよい。管状体４６は、塩化ビニル、合成樹脂又は発泡材料のみからなっていてもよく、また、塩化ビニル、合成樹脂又は発泡材料からなる複数の層を有していてもよい。シート体からなる管状体は、塩化ビニル又は合成樹脂のみからなっていてもよく、また、塩化ビニル又は合成樹脂からなる複数の層を有していてもよい。上述のように構成された滑り部材４７又はシート体からなる管状体を有した滑り部材によれば、例えば、予め複数本の異形鋼棒５を異形鋼棒６を介して連結した場合においても、当該異形鋼棒５に簡単に装着することができる。
【図面の簡単な説明】
【００３８】
【図１】本発明の実施の形態の例の鉛直方向断面説明図である。
【図２】図１に示す例の主に滑り部材の水平方向断面説明図である。
【図３】図１に示す例の滑り部材の拡大説明図である。
【図４】（ａ）は図１に示す例の滑り部材の側面説明図であり、（ｂ）は図１に示す例の主に滑り部材の一部断面拡大説明図である。
【図５】（ａ）は図１に示す例の他の滑り部材の側面説明図であり、（ｂ）は図１に示す例の主に他の滑り部材の一部拡大断面説明図である。
【図６】図１に示す例の他の滑り部材の側面説明図である。
【符号の説明】
【００３９】
１  ひび割れ誘発構造
２  目地
３  誘発部
４  コンクリート壁
５、６  異形鋼棒
５ａ  部位
５ｂ  突部
７、３７、４７  滑り部材
【図１】
2005207121.tif 000003
【図２】
2005207121.tif 000004
【図３】
2005207121.tif 000005
【図４】
2005207121.tif 000006
【図５】
2005207121.tif 000007
【図６】
2005207121.tif 000008